(57)【要約】【課題】端末装置からゲートウェイまでのパケット転送時間を許容値以下に抑え、かつネットワーク全体における総回線容量を軽減すること。【解決手段】ノードｎ−１から送信されたパケットはアンテナ８０１を介して送受信部８０２で受信され、送受信分離部８０３から中継数情報検出部８０４に送信される。パケットは、中継数情報検出部８０４で受信パケットに付記された中継数情報が検出された後、送受信分離部８０５からバックボーンネットワーク８００に転送される。中継数情報検出部８０４では、検出した中継数情報を最大中継数通知部８０６へ通知する。最大中継数通知部８０６では、中継数情報検出部８０４から通知された中継数の最大値を検出し、最大中継数情報として制御パケットに付記する。制御パケットは送受信部８０２からアンテナ８０１を介してノードｎ−１に転送される。【選択図】図８
2006279998.tif 000002
【特許請求の範囲】
【請求項１】
受信したパケットに付加されている中継数に関する情報から、中継数の最大値を抽出する最大中継数抽出手段と、
前記抽出された中継数の最大値をすべてのノードに通知する最大値通知手段とを備えることを特徴とするゲートウェイ。
【請求項２】
各ノードから通知された単位時間あたりのデータ量を検出するデータ量検出手段と、
前記検出されたすべてのデータ量を加算し、データ量の総合値を算出する総合値算出手段と、
前記算出された総合値をすべてのノードに通知する総合値通知手段とを備えることを特徴とするゲートウェイ。
【請求項３】
請求項１又は請求項２記載のゲートウェイを備えた無線ネットワーク。
【発明の詳細な説明】
【技術分野】
【０００１】
本発明は、端末装置から送信されたパケットを各ノードを経由してゲートウェイに転送するためのゲートウェイ及び無線ネットワークに関する。
【背景技術】
【０００２】
図１５は、従来の無線ネットワークシステムを示す図である。ここでは、１からｎまでの各ノードが無線回線により縦列に接続されている。ノードｎには、バックボーンネットワーク１５０が接続されており、このノードｎがゲートウェイである。各ノードは、端末装置１５１ａ〜１５１ｆと無線によりパケットを送受信する。図１５に示すように、ネットワーク内の各ノードからゲートウェイ間のすべての回線容量は、一定値Ａに設定されている。すなわち、中継トラヒック量に関わらず、どのノードの回線容量も一定値Ａとなるように設定されている。
【発明の開示】
【発明が解決しようとする課題】
【０００３】
しかしながら、各ノードが端末装置からデータを受信し、そのデータをパケットとしてゲートウェイまで転送するようなノードネットワークである場合は、ノードとノードとの間の各区間における中継トラヒック量が大きく変化する。このため、トラヒックの少ない区間では、回線容量を余分に設定することとなり、回線使用率が低下してしまう。また、ノードネットワーク全体における総回線容量も大きくなるため、多大な無線リソースが必要となる。さらに、ある区間にトラヒックが集中すると、パケット転送遅延時間が大きくなりすぎるという問題もある。
【０００４】
本発明は、このような事情に鑑みてなされたものであり、端末装置からゲートウェイまでのパケット転送時間を許容値以下に抑え、かつネットワーク全体における総回線容量を軽減することができるゲートウェイ及び無線ネットワークを提供することを目的とする。
【課題を解決するための手段】
【０００５】
上記の目的を達成するため、本発明に係るゲートウェイは、受信したパケットに付加されている中継数に関する情報から、中継数の最大値を抽出する最大中継数抽出手段と、前記抽出された中継数の最大値をすべてのノードに通知する最大値通知手段とを備える構成を採る。
【０００６】
また、本発明に係るゲートウェイは、各ノードから通知された単位時間あたりのデータ量を検出するデータ量検出手段と、前記検出されたすべてのデータ量を加算し、データ量の総合値を算出する総合値算出手段と、前記算出された総合値をすべてのノードに通知する総合値通知手段とを備える構成を採る。
【０００７】
本発明に係る無線ネットワークは、請求項１又は請求項２記載のゲートウェイを備えた構成を採る。
【０００８】
本発明によれば、各ノードで独立に全許容時間を均等配分又は比率配分することができる。また、各ノード、ノード間のデータ量に応じて回線容量を設定することができる。これにより、ネットワーク内のノードからゲートウェイまでのパケット転送時間を全許容時間以下に抑え得る回線容量を設定することができる。また、ノード間のデータ量に応じた回線容量を設定するため、全体の回線容量の軽減を図ることが可能となり、その結果、無線リソースの軽減を図ることが可能となる。
【発明の効果】
【０００９】
以上説明したように、本発明に係るノードネットワークシステムは、端末装置と無線通信を行う複数のノードと、前記ノードのいずれか一つに接続されたバックボーンネットワークとを有し、前記各ノードが無線回線により接続され、前記端末装置と前記バックボーンネットワークとの間でパケットの送受信を行うノードネットワークシステムにおいて、前記各ノードは、端末装置及び他のノードから受信したパケットを別の他のノードに転送する転送手段と、受信したパケットを他のノードへ転送するために要する時間を測定する転送時間測定手段と、端末装置から送信されたパケットが、前記バックボーンネットワークに接続されたノードに到着するまでに要する時間の許容値に基づいて、前記各ノードに対し、受信したパケットを他のノードへ転送するために要する時間の許容値を配分する転送時間配分手段と、前記測定された時間が、前記配分された許容値と等しくなるようにノード間の無線回線の容量を設定する容量設定手段とを備える構成を採る。
【００１０】
本発明によれば、各ノードで独立に全許容時間を均等配分又は比率配分することができる。また、各ノード、ノード間のデータ量に応じて回線容量を設定することができる。これにより、ネットワーク内のノードからゲートウェイまでのパケット転送時間を全許容時間以下に抑え得る回線容量を設定することができる。また、ノード間のデータ量に応じた回線容量を設定するため、全体の回線容量の軽減を図ることが可能となり、その結果、無線リソースの軽減を図ることが可能となる。
【発明を実施するための最良の形態】
【００１１】
（実施の形態１）
図１は、本発明の実施の形態１に係るノードネットワークシステムの構成を示す図である。このノードネットワークシステムは、端末装置１５１ａ〜１５１ｆとの間で信号の送受信を行う複数のノード１〜ｎで構成されている。ノードｎは、ゲートウェイであり、バックボーンネットワーク１５０に接続されている。各ノードの間、及びノードとゲートウェイとの間は、無線回線により縦列に接続されており、ノードの間、及びノードからゲートウェイ間の信号の送受は、パケットにより行われる。ここで、各ノードは、端末装置１５１ａ〜１５１ｆからの信号と他のノードから受信した信号を他のノードに転送する機能を有し、端末装置１５１ａ〜１５１ｆからの信号をゲートウェイまで転送する。
【００１２】
図２は、ノードｉの構成を示すブロック図である。ノードｉ−１からのパケットは、アンテナ１００を介して受信部２で受信される。また、端末装置１５１ａ〜１５１ｆからのパケットは、アンテナ１０を介して受信部３で受信される。受信部２及び受信部３で受信されたパケットは、バッファ部４に一旦蓄積される。その後、パケットは、送信部８においてノードｉ＋１との間で所定の回線容量を設定された無線回線により、アンテナ９を介してノードｉ＋１へ転送される。また、バッファ部４を介してノードｉ＋１にパケットの転送が終了するまでに生じる転送遅延時間（以下、「転送終了時間」という。）は、遅延検出部５で検出される。回線容量制御部７は、遅延検出部５で検出された転送終了時間と、許容時間配分部６によって各ノードに対して配分されたノード間の転送終了時間の許容値（以下、「配分時間」という。）とに基づいて、送信部８で設定する無線回線の容量を制御する。
【００１３】
図３は、実施の形態１に係るノードネットワークシステムの回線容量設定動作を示すフローチャートである。ノード又は端末装置からパケットを受信した際（ステップＣ１）、許容時間配分部６では、所要の配分時間を決定し（ステップＣ２）、回線容量制御部７へ通知する。遅延検出部５では、転送終了時間を測定し（ステップＣ３）、回線容量制御部７に通知する。回線容量制御部７では、遅延検出部５から通知された転送終了時間と、許容時間配分部６とから通知された配分時間とを比較する（ステップＣ４）。比較の結果、両者が等しければ、ステップＣ７へ移行し、両者が等しくなければ、転送終了時間が配分時間に等しくなるような回線容量を再び算出して（ステップＣ５）、算出した回線容量を送信部８へ通知する。送信部８では、回線容量制御部７から通知された回線容量を送信回線容量として再び設定し（ステップＣ６）、設定された容量の無線回線をノードｉ＋１の受信部との間で確立し、パケットを送信すると共に、パケットの受信を待つ（ステップＣ７）。
【００１４】
このように、実施の形態１によれば、ネットワーク内のノードからゲートウェイまでのパケット転送時間を全許容時間以下に抑え得る回線容量を設定することができる。また、ノード間のデータ量に応じた回線容量を設定するため、全体の回線容量の軽減を図ることが可能となり、その結果、無線リソースの軽減を図ることが可能となる。
【００１５】
（実施の形態２）
実施の形態２では、他のノードに受信したパケットの転送が終了するまでの時間を測定する方法を提供する。図４は、実施の形態２に係るノードネットワークシステムの回線容量設定動作を示すフローチャートである。ノード又は端末装置からパケットを受信した際（ステップＳ１）、許容時間配分部６では、所要の配分時間を決定し（ステップＳ２）、回線容量制御部７へ通知する。遅延検出部５では、バッファ部４内の蓄積データ量を測定し（ステップＳ３）、送信部８に既に設定されている回線容量に基づいて測定した量のデータの転送が終了するまでの時間を算出することによって転送終了時間を検出する（ステップＳ４）。その後、遅延検出部５は、上記転送終了時間を回線容量制御部７に通知する。回線容量制御部７では、遅延検出部５から通知された転送終了時間と許容時間配分部６から通知された配分時間を比較する（ステップＳ５）。両者が等しければ、ステップＳ８へ移行し、両者が等しくなければ、転送終了時間が配分時間と等しくなるような回線容量を再び算出し（ステップＳ６）、送信部８へ通知する。送信部８では、回線容量制御部７より通知された回線容量を送信回線容量として再び設定し（ステップＳ７）、設定された容量を有する無線回線をノードｉ＋１の受信部との間で確立し、パケットを送信する。
【００１６】
このように、実施の形態２によれば、転送終了時間を容易に測定することができ、ネットワーク内のノードからゲートウェイまでのパケット転送時間を全許容時間以下に抑え得る回線容量を設定することができる。また、ノード間のデータ量に応じた回線容量を設定するため、全体の回線容量の軽減を図ることが可能となり、その結果、無線リソースの軽減を図ることが可能となる。
【００１７】
（実施の形態３）
実施の形態３では、全許容時間を各ノードに均等に配分する。図５は、実施の形態３に係るノードネットワークシステムの回線容量設定動作を示すフローチャートである。ノード又は端末装置からパケットを受信した際（ステップＴ１）、許容時間配分部６では、全許容時間を各ノードに均等に配分した時間を配分時間として決定し（ステップＴ２）、回線容量制御部７へ通知する。遅延検出部５では、転送終了時間を測定し（ステップＴ３）、回線容量制御部７へ通知する。回線容量制御部７は、遅延検出部５から通知された転送終了時間と、許容時間配分部６から通知された配分時間とを比較する（ステップＴ４）。比較の結果、両者が等しい場合は、ステップＴ７へ移行し、両者が等しくない場合は、転送終了時間が配分時間と等しくなるような回線容量を再び算出し（ステップＴ５）、送信部８へ通知する。送信部８では、回線容量制御部７から通知された回線容量を送信回線容量として再び設定し（ステップＴ６）、設定された容量を有する無線回線をノードｉ＋１の受信部との間で確立し、パケットを送信する。
【００１８】
このように、実施の形態３によれば、各ノードで独立に全許容時間を均等配分することができ、ネットワーク内のノードからゲートウェイまでのパケット転送時間を全許容時間以下に抑え得る回線容量を設定することができる。また、ノード間のデータ量に応じた回線容量を設定するため、全体の回線容量の軽減を図ることが可能となり、その結果、無線リソースの軽減を図ることが可能となる。
【００１９】
（実施の形態４）
実施の形態４では、全許容時間を、各ノード間で送受信される単位時間あたりのデータ量の比率に応じて配分する。図６は、実施の形態４に係るノードネットワークシステムの回線容量設定動作を示すフローチャートである。ノード又は端末装置からパケットを受信した際（ステップＳＴ１）、許容時間配分部６は、全許容時間を各ノード間における単位時間あたりのデータ量の比率に応じて配分した時間を配分時間として決定し（ステップＳＴ２）、回線容量制御部７へ通知する。遅延検出部５は、転送終了時間を測定し（ステップＳＴ３）、回線容量制御部７へ通知する。回線容量制御部７は、遅延検出部５から通知された転送終了時間と、許容時間配分部６から通知された配分時間とを比較する（ステップＳＴ４）。比較の結果、両者が等しい場合は、ステップＳＴ７へ移行し、両者が等しくない場合は、転送終了時間が配分時間と等しくなるような回線容量を再び算出し（ステップＳＴ５）、送信部８へ通知する。送信部８では、回線容量制御部７から通知された回線容量を送信回線容量として再び設定し（ステップＳＴ６）、設定された容量を有する無線回線をノードｉ＋１の受信部との間で確立し、パケットを送信する。
【００２０】
このように、実施の形態４によれば、各ノードで独立にデータ量に応じて全許容時間を配分することができ、ネットワーク内のノードからゲートウェイまでのパケット転送時間を全許容時間以下に抑え得る回線容量を設定することができる。また、ノード間のデータ量に応じた回線容量を設定するため、全体の回線容量の軽減を図ることが可能となり、その結果、無線リソースの軽減を図ることが可能となる。
【００２１】
（実施の形態５）
実施の形態５は、全許容時間を各ノードに均等に分配する方法を提供する。図７は、実施の形態５に係るノードｉの構成を示すブロック図である。図７に示すように、ノードｉでは、ノードｉ−１から送信されたパケットがアンテナ７００を介して送受信部７０１で受信され、送受信分離部７０２でバッファ部７０３に送信されて一旦蓄積される。また、端末装置から送信されたパケットは、アンテナ７０４を介して受信部７０５で受信され、情報付記部７０６でパケットに中継数情報（初期値：０）を付記された後、バッファ部７０３に一旦蓄積される。バッファ部７０３に蓄積されたパケットは、中継数増加部７０７でパケットに付記されている中継数に１が加算され、送信分離部７０８から送受信部７０９に送信される。その後、パケットは、送受信部７０９においてノードｉ＋１との間で所定の回線容量を設定された無線回線により、アンテナ７１０を介してノードｉ＋１へ転送される。また、転送遅延時間は、遅延検出部７１１で検出される。回線容量制御部７１２へ通知される配分時間は、全許容時間と、最大中継数情報検出部７１３でゲートウェイが送信した制御パケットから検出された最大中継数情報とに基づいて許容時間配分部７１４が決定する。回線容量制御部７１２は、遅延検出部７１１で検出された転送終了時間と、許容時間配分部７１４で決定された配分時間とに基づいて、送受信部７０９で設定する無線回線の容量を制御する。
【００２２】
図８は、実施の形態５に係るゲートウェイｎの構成を示すブロック図である。ゲートウェイｎは、バックボーンネットワーク８００に接続されている。ノードｎ−１から送信されたパケットは、アンテナ８０１を介して送受信部８０２で受信され、送受信分離部８０３から中継数情報検出部８０４に送信される。パケットは、中継数情報検出部８０４で受信パケットに付記されている中継数情報が検出された後、送受信分離部８０５からバックボーンネットワーク８００に転送される。また、中継数情報検出部８０４では、検出した中継数情報を最大中継数通知部８０６へ通知する。最大中継数通知部８０６では、中継数情報検出部８０４から通知された中継数の最大値を検出し、その値を最大中継数情報として制御パケットに付記する。制御パケットは、送受信部８０２からアンテナ８０１を介してノードｎ−１に転送される。
【００２３】
図９は、実施の形態５に係るノードの回線容量設定動作を示すフローチャートである。ノードｉは、ノードｉ＋１からゲートウェイｎが送信した制御パケットを受信した場合（ステップＸ１）、最大中継数情報検出部７１３は、制御パケットに付記されている最大中継数情報を検出し（ステップＸ２）、許容時間配分部７１４に通知する。許容時間配分部７１４は、最大中継数情報検出部７１３から通知された最大中継数で全許容時間を除算して得られた時間を配分時間として決定し、回線容量制御部７１２へ通知する（ステップＸ８）。また、端末装置からパケットを受信した場合（ステップＸ６）、情報付記部７０６は、受信パケットに中継数情報（初期値：０）を付記して送信し（ステップＸ７）、パケットはバッファ部７０３に蓄積される（ステップＸ５）。また、ノードｉ−１からパケットを受信した場合（ステップＸ４）、受信パケットは同様にバッファ部７０３に蓄積される（ステップＸ５）。
【００２４】
遅延検出部７１１は、バッファ部７０３内の蓄積データ量を測定し（ステップＸ９）、送受信部７０９に既に設定されている回線容量に基づいて、測定した蓄積データ量の転送がすべて終了するまでの時間を算出することにより転送終了時間を検出し（ステップＸ１０）、回線容量制御部７１２に通知する。回線容量制御部７１２は、遅延検出部７１１から通知された転送終了時間と、許容時間配分部７１４から通知された配分時間とを比較する（ステップＸ１１）。比較の結果、両者が等しい場合は、ステップＸ１４へ移行し、両者が等しくない場合は、転送終了時間が配分時間と等しくなるように回線容量を再び算出し（ステップＸ１２）、送受信部７０９へ通知する。
【００２５】
一方、バッファ部７０３に蓄積されたパケットは、中継数増加部７０７で中継数に１が加算され（ステップＸ１４）、送受信部７０９へ送信される。
【００２６】
送受信部７０９は、回線容量制御部７１２から通知された回線容量を送信回線容量として再び設定し（ステップＸ１３）、設定された容量を有する無線回線をノードｉ＋１の送受信部との間で確立し、パケットをノードｉ＋１へ転送する。ここでパケットに付記された中継数情報は、各ノードで中継される毎に中継数に１が加算され、最終的にゲートウェイに転送される。
【００２７】
図１０は、実施の形態５に係るゲートウェイｎの回線容量設定動作を示すフローチャートである。ゲートウェイｎがノードｎ−１からパケットを受信した場合（ステップＹ１）、中継数情報検出部８０４は、受信パケットに付記されている中継数を検出し（ステップＹ２）、最大中継数通知部８０６へ通知する。最大中継数通知部８０６は、全ノードから中継数情報を検出したかどうかを判断し（ステップＹ３）、全ノードから中継数情報を検出していない場合は、ステップＹ７へ移行する。全ノードから中継数情報を検出した場合は、検出した中継数の最大値を求め（ステップＹ４）、最大中継数情報として制御パケットに付記し（ステップＹ５）、制御パケットを全ノードに送信し（ステップＹ６）、パケットの受信を待機する（ステップＹ７）。
【００２８】
このように、実施の形態５によれば、全ノードの数に基づいて全許容時間を均等配分することができ、ネットワーク内のノードからゲートウェイまでのパケット転送時間を全許容時間以下に抑え得る回線容量を設定することができる。また、ノード間のデータ量に応じた回線容量を設定するため、全体の回線容量の軽減を図ることが可能となり、その結果、無線リソースの軽減を図ることが可能となる。
【００２９】
（実施の形態６）
実施の形態６は、全許容時間を各ノード間で送受信される単位時間あたりのデータ量の比率に応じて配分する方法を提供する。図１１は、実施の形態６に係るノードｉの構成を示すブロック図である。図１１に示すように、ノードｉでは、ノードｉ−１から送信されたパケットがアンテナ９００を介して送受信部９０１で受信され、送受信分離部９０２でバッファ部９０３に送信されて一旦蓄積される。また、端末装置から送信されたパケットは、アンテナ９０４を介して受信部９０５で受信され、情報付記部９０６でデータ量検出部９０７から通知された送信データ量情報を付記された後、バッファ部９０３に一旦蓄積される。バッファ部９０３に蓄積されたパケットは、データ量検出部９０７で単位時間あたりの送信データ量を測定され、送受信分離部９０８から送受信部９０９に送信される。その後、パケットは、送受信部９０９においてノードｉ＋１との間で所定の回線容量を設定された無線回線により、アンテナ９１０を介してノードｉ＋１へ転送される。
【００３０】
また、転送遅延時間は、遅延検出部９１１で検出される。全ノード送信データ量情報検出部９１２では、ゲートウェイが送信した制御パケットから全ノード送信データ量情報である送信データ量の全ノードの総和値を検出し、許容時間配分部９１３へ通知する。許容時間配分部９１３は、全ノード送信データ量情報検出部９１２から通知された送信データ量の全ノードの総和値と、データ量検出部９０７から通知された送信データ量と、全許容時間に基づいて配分時間を決定する。回線容量制御部９１４は、遅延検出部９１１で検出された転送終了時間と、許容時間配分部９１３で算出された配分時間とに基づいて、送受信部９０９で設定する無線回線の容量を制御する。
【００３１】
図１２は、実施の形態６に係るゲートウェイｎの構成を示すブロック図である。ゲートウェイｎは、バックボーンネットワーク８００に接続されている。ノードｎ−１から送信されたパケットは、アンテナ９５０を介して送受信部９５１で受信され、送受信分離部９５２から送信データ量情報検出部９５３へ送信される。パケットは、送信データ量情報検出部９５３で受信パケットに付記されている送信データ量情報が検出された後、送受信分離部９５４からバックボーンネットワーク８００に転送される。また、送信データ量情報検出部９５３では、検出した送信データ量情報を全ノード送信データ量通知部９５５へ通知する。全ノード送信データ量通知部９５５では、送信データ量情報検出部９５３から通知された送信データ量から送信データ量の全ノードの総和を算出し、その値を全ノード送信データ量情報として制御パケットに付記する。制御パケットは、送受信部９５１からアンテナ９５０を介してノードｎ−１に転送される。
【００３２】
図１３は、実施の形態６に係るノードの回線容量設定動作を示すフローチャートである。ノードｉは、ノードｉ＋１からゲートウェイｎが送信した制御パケットを受信した場合（ステップＺ１）、全ノード送信データ量情報検出部９１２は、ゲートウェイが送信した制御パケットに付記されている全ノード送信データ量情報から送信データ量の全ノードの総和値を検出し（ステップＺ２）、許容時間配分部９１３に通知する。許容時間配分部９１３は、データ量検出部９０７から通知された送信データ量を、全ノード送信データ量情報検出部９１２から通知された送信データ量の全ノードの総和値で除算し（ステップＺ９）、回線容量制御部９１４へ通知する。また、端末装置からパケットを受信した場合（ステップＺ６）、情報付記部９０６は、受信部９０５から受信したパケットにデータ量検出部９０７から通知された送信データ量（ステップＺ７）を送信データ量情報として付記し（ステップＺ８）、バッファ部９０３に蓄積する。また、ノードｉ−１からパケットを受信した場合（ステップＺ４）、受信パケットは同様にバッファ部９０３に蓄積される（ステップＺ５）。
【００３３】
遅延検出部９１１は、バッファ部９０３内の蓄積データ量を測定し（ステップＺ１１）、送受信部９０９に既に設定されている回線容量に基づいて、測定した蓄積データ量の転送がすべて終了するまでの時間を算出することにより転送終了時間を検出し（ステップＺ１２）、回線容量制御部９１４に通知する。回線容量制御部９１４は、遅延検出部９１１から通知された転送終了時間と、許容時間配分部９１３から通知された配分時間とを比較する（ステップＺ１３）。比較の結果、両者が等しい場合は、ステップＺ１６へ移行し、両者が等しくない場合は、転送終了時間が配分時間と等しくなるように回線容量を再び算出し（ステップＺ１４）、送受信部９０９へ通知する。
【００３４】
一方、バッファ部９０３に蓄積されたパケットは、データ量検出部９０７により、単位時間あたりの送信データ量が検出され、送受信分離部９０８、送受信部９０９へ送信される。また、データ量検出部９０７は、測定した単位時間あたりの送信データ量を情報付記部９０６に通知する。送受信部９０９は、回線容量制御部９１４から通知された回線容量を送信回線容量として再び設定し（ステップＺ１５）、設定された回線容量を有する無線回線をノードｉ＋１の送受信部との間で確立し、パケットをノードｉ＋１へ転送する。ここでパケットに付記された送信データ量情報は、最終的にゲートウェイに転送される。
【００３５】
図１４は、実施の形態６に係るゲートウェイｎの回線容量設定動作を示すフローチャートである。ゲートウェイｎがノードｎ−１からパケットを受信した場合（ステップＷ１）、送信データ量情報検出部９５３は、受信パケットに付記されている各ノードの送信データ量情報を検出し（ステップＷ２）、全ノード送信データ量通知部９５５へ通知する。全ノード送信データ量通知部９５５は、全ノードから送信データ量を検出したかどうかを判断し（ステップＷ３）、全ノードから送信データ量情報を検出していない場合は、ステップＷ７へ移行する。全ノードから送信データ量を検出した場合は、送信データ量の全ノードの総和を算出し（ステップＷ４）、算出された値を全ノード送信データ量情報として制御パケットに付記し（ステップＷ５）、制御パケットを全ノードに送信し（ステップＷ６）、パケットの受信を待機する（ステップＷ７）。
【００３６】
このように、実施の形態６によれば、全ノードの送信データ量に基づいて全許容時間を配分することができ、ネットワーク内のノードからゲートウェイまでのパケット転送時間を全許容時間以下に抑え得る回線容量を設定することができる。また、ノード間のデータ量に応じた回線容量を設定するため、全体の回線容量の軽減を図ることが可能となり、その結果、無線リソースの軽減を図ることが可能となる。
【図面の簡単な説明】
【００３７】
【図１】本発明の実施の形態１に係るノードネットワークシステムの構成を示す図である。
【図２】ノードｉの構成を示すブロック図である。
【図３】実施の形態１に係るノードネットワークシステムの回線容量設定動作を示すフローチャートである。
【図４】実施の形態２に係るノードネットワークシステムの回線容量設定動作を示すフローチャートである。
【図５】実施の形態３に係るノードネットワークシステムの回線容量設定動作を示すフローチャートである。
【図６】実施の形態４に係るノードネットワークシステムの回線容量設定動作を示すフローチャートである。
【図７】実施の形態５に係るノードｉの構成を示すブロック図である。
【図８】実施の形態５に係るゲートウェイｎの構成を示すブロック図である。
【図９】実施の形態５に係るノードの回線容量設定動作を示すフローチャートである。
【図１０】実施の形態５に係るゲートウェイｎの回線容量設定動作を示すフローチャートである。
【図１１】実施の形態６に係るノードｉの構成を示すブロック図である。
【図１２】実施の形態６に係るゲートウェイｎの構成を示すブロック図である。
【図１３】実施の形態６に係るノードの回線容量設定動作を示すフローチャートである。
【図１４】実施の形態６に係るゲートウェイｎの回線容量設定動作を示すフローチャートである。
【図１５】従来の無線ネットワークシステムを示す図である。
【符号の説明】
【００３８】
１〜ｎ…ノード、１００…アンテナ、２…受信部、３…受信部、４…バッファ部、５…遅延検出部、６…許容時間配分部、７…回線容量制御部、８…送信部、９…アンテナ、１０…アンテナ、１５０…バックボーンネットワーク、１５１ａ〜１５１ｆ…端末装置、７００…アンテナ、７０１…送受信部、７０２…送受信分離部、７０３…バッファ部、７０４…アンテナ、７０５…受信部、７０６…情報付記部、７０７…中継数増加部、７０８…送信分離部、７０９…送受信部、７１０…アンテナ、７１１…遅延検出部、７１２…回線容量制御部、７１３…最大中継数情報検出部、７１４…許容時間配分部、８００…バックボーンネットワーク、８０１…アンテナ、８０２…送受信部、８０３…送受信分離部、８０４…中継数情報検出部、８０５…送受信分離部、８０６…最大中継数通知部、９００…アンテナ、９０１…送受信部、９０２…送受信分離部、９０３…バッファ部、９０４…アンテナ、９０５…受信部、９０６…情報付記部、９０７…データ量検出部、９０８…送受信分離部、９０９…送受信部、９１０…アンテナ、９１１…遅延検出部、９１２…全ノード送信データ量情報検出部、９１３…許容時間配分部、９１４…回線容量制御部、９５０…アンテナ、９５１…送受信部、９５２…送受信分離部、９５３…送信データ量情報検出部、９５４…送受信分離部、９５５…全ノード送信データ量通知部。
【図１】
2006279998.tif 000003
【図２】
2006279998.tif 000004
【図３】
2006279998.tif 000005
【図４】
2006279998.tif 000006
【図５】
2006279998.tif 000007
【図６】
2006279998.tif 000008
【図７】
2006279998.tif 000009
【図８】
2006279998.tif 000010
【図９】
2006279998.tif 000011
【図１０】
2006279998.tif 000012
【図１１】
2006279998.tif 000013
【図１２】
2006279998.tif 000014
【図１３】
2006279998.tif 000015
【図１４】
2006279998.tif 000016
【図１５】
2006279998.tif 000017